【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
長さ方向（ＬＤ）に沿って細長いコアプレート（６）と、
端部が前記コアプレートに接合された複数のチューブ（７）と、
前記コアプレートの端部に設けられた接合部（ＢＲ）において前記コアプレートと接合された補強プレート（９）とを備えており、
前記コアプレートは、
複数の前記チューブが接合された底板（２１）と、
前記底板から延び出しており、前記長さ方向に沿って広がる側壁（２２）と、
前記側壁の縁から前記側壁の高さ方向（ＨＤ）に沿って延びるように前記側壁に形成され、前記接合部と最初のチューブ（７ａ）との間のエンド領域（ＥＲ）の中に位置しており、前記コアプレートの変形を可能とするサイド変形可能部（４１、７４１、９４１）と、
複数の前記チューブを受け入れ、複数の前記チューブと接合されるために前記底板に形成された隆起部（２６）と、
前記コアプレートの幅方向（ＷＤ）に沿って前記隆起部を横切って延びるように前記底板に形成され、前記接合部と最初のチューブ（７ａ）との間のエンド領域（ＥＲ）の中に位置しており、前記コアプレートとタンクカバー（５）との間に配置されるシール部材（２７）が接触するシール面（２５）の上の空洞に前記幅方向のサイド開口が連通しているリブ（４５、８４５）とを有する熱交換器。
【請求項２】
前記サイド変形可能部は、前記コアプレートとタンクカバー（５）との間に配置されるシール部材（２７）が接触するシール面（２５）に到達している請求項１に記載の熱交換器。
【請求項３】
前記サイド変形可能部は、前記側壁を貫通して形成されたサイドスリット（４１、７４１）である請求項１または請求項２に記載の熱交換器。
【請求項４】
前記リブの底は、前記シール面に到達している請求項１から請求項３のいずれかに記載の熱交換器。
【請求項５】
前記サイド変形可能部と前記リブとは、前記長さ方向における同じ位置に位置している請求項１から請求項４のいずれかに記載の熱交換器。
【請求項６】
前記コアプレートは、
前記底板から延び出しており、前記コアプレートの端部に位置し、前記接合部が設けられた端壁（２３）と、
前記接合部の両側において、前記端壁の縁から前記端壁の高さ方向（ＨＤ）に沿って前記接合部を越えて延びるように前記端壁に形成され、それらの間に前記底板から延び出すとともに前記接合部を有する接合片（２８）を区画形成し、前記接合片の変形を可能とするエンド変形可能部（４３、７４３）とを有する請求項１から請求項５のいずれかに記載の熱交換器。
【請求項７】
長さ方向（ＬＤ）に沿って細長いコアプレート（６）と、
端部が前記コアプレートに接合された複数のチューブ（７）と、
前記コアプレートの端部に設けられた接合部（ＢＲ）において前記コアプレートと接合された補強プレート（９）とを備えており、
前記コアプレートは、
複数の前記チューブが接合された底板（２１）と、
前記底板から延び出しており、前記長さ方向に沿って広がる側壁（２２）と、
前記側壁の縁から前記側壁の高さ方向（ＨＤ）に沿って延びるように前記側壁に形成され、前記接合部と最初のチューブ（７ａ）との間のエンド領域（ＥＲ）の中に位置しており、前記コアプレートの変形を可能とするサイド変形可能部（４１、７４１、９４１）と、
前記底板から延び出しており、前記コアプレートの端部に位置し、前記接合部が設けられた端壁（２３）と、
前記接合部の両側において、前記端壁の縁から前記端壁の高さ方向（ＨＤ）に沿って前記接合部を越えて延びるように前記端壁に形成され、それらの間に前記底板から延び出すとともに前記接合部を有する接合片（２８）を区画形成し、前記接合片の変形を可能とするエンド変形可能部（４３、７４３）とを有する熱交換器。
【請求項８】
前記サイド変形可能部は、前記コアプレートとタンクカバー（５）との間に配置されるシール部材（２７）が接触するシール面（２５）に到達している請求項７に記載の熱交換器。
【請求項９】
前記サイド変形可能部は、前記側壁を貫通して形成されたサイドスリット（４１、７４１）である請求項７または請求項８に記載の熱交換器。
【請求項１０】
長さ方向（ＬＤ）に沿って細長いコアプレート（６）と、
端部が前記コアプレートに接合された複数のチューブ（７）と、
前記コアプレートの端部に設けられた接合部（ＢＲ）において前記コアプレートと接合された補強プレート（９）とを備えており、
前記コアプレートは、
複数の前記チューブが接合された底板（２１）と、
複数の前記チューブを受け入れ、複数の前記チューブと接合されるために前記底板に形成された隆起部（２６）と、
前記コアプレートの幅方向（ＷＤ）に沿って前記隆起部を横切って延びるように前記底板に形成され、前記接合部と最初のチューブ（７ａ）との間のエンド領域（ＥＲ）の中に位置しており、前記コアプレートとタンクカバー（５）との間に配置されるシール部材（２７）が接触するシール面（２５）の上の空洞に前記幅方向のサイド開口が連通しているリブ（４５、８４５）と、
前記底板から延び出しており、前記コアプレートの端部に位置し、前記接合部が設けられた端壁（２３）と、
前記接合部の両側において、前記端壁の縁から前記端壁の高さ方向（ＨＤ）に沿って前記接合部を越えて延びるように前記端壁に形成され、それらの間に前記底板から延び出すとともに前記接合部を有する接合片（２８）を区画形成し、前記接合片の変形を可能とするエンド変形可能部（４３、７４３）とを有する熱交換器。
【請求項１１】
前記リブの底は、前記シール面に到達している請求項１０に記載の熱交換器。
【請求項１２】
長さ方向（ＬＤ）に沿って細長いコアプレート（６）と、
端部が前記コアプレートに接合された複数のチューブ（７）と、
前記コアプレートの端部に設けられた接合部（ＢＲ）において前記コアプレートと接合された補強プレート（９）とを備えており、
前記コアプレートは、
複数の前記チューブが接合された底板（２１）と、
前記底板から延び出しており、前記コアプレートの端部に位置し、前記接合部が設けられた端壁（２３）と、
前記接合部の両側において、前記端壁の縁から前記端壁の高さ方向（ＨＤ）に沿って前記接合部を越えて延びるように前記端壁に形成され、それらの間に前記底板から延び出すとともに前記接合部を有する接合片（２８）を区画形成し、前記接合片の変形を可能とするエンド変形可能部（４３、７４３）とを有する熱交換器。
【請求項１３】
前記エンド変形可能部は、前記コアプレートとタンクカバー（５）との間に配置されるシール部材（２７）が接触するシール面（２５）に到達している請求項７から請求項１１のいずれかに記載の熱交換器。
【請求項１４】
前記エンド変形可能部は、前記端壁を貫通して形成されたエンドスリットである請求項７から請求項１３のいずれかに記載の熱交換器。
【手続補正２】
【補正対象書類名】明細書
【補正対象項目名】０００８
【補正方法】変更
【補正の内容】
【０００８】
開示される熱交換器は、長さ方向（ＬＤ）に沿って細長いコアプレート（６）と、端部がコアプレートに接合された複数のチューブ（７）と、コアプレートの端部に設けられた接合部（ＢＲ）においてコアプレートと接合された補強プレート（９）とを有する。コアプレートは、複数のチューブが接合された底板（２１）と、底板から延び出しており、長さ方向に沿って広がる側壁（２２）と、側壁の縁から側壁の高さ方向（ＨＤ）に沿って延びるように側壁に形成され、接合部と最初のチューブ（７ａ）との間のエンド領域（ＥＲ）の中に位置しており、コアプレートの変形を可能とするサイド変形可能部（４１、７４１）と、複数のチューブを受け入れ、複数のチューブと接合されるために底板に形成された隆起部（２６）と、コアプレートの幅方向（ＷＤ）に沿って隆起部を横切って延びるように底板に形成され、接合部と最初のチューブ（７ａ）との間のエンド領域（ＥＲ）の中に位置しており、コアプレートとタンクカバー（５）との間に配置されるシール部材（２７）が接触するシール面（２５）の上の空洞に幅方向のサイド開口が連通しているリブ（４５、８４５）とを有する。
【手続補正３】
【補正対象書類名】明細書
【補正対象項目名】００１０
【補正方法】変更
【補正の内容】
【００１０】
開示される熱交換器は、長さ方向（ＬＤ）に沿って細長いコアプレート（６）と、端部がコアプレートに接合された複数のチューブ（７）と、コアプレートの端部に設けられた接合部（ＢＲ）においてコアプレートと接合された補強プレート（９）とを備えており、コアプレートは、複数のチューブが接合された底板（２１）と、底板から延び出しており、長さ方向に沿って広がる側壁（２２）と、側壁の縁から側壁の高さ方向（ＨＤ）に沿って延びるように側壁に形成され、接合部と最初のチューブ（７ａ）との間のエンド領域（ＥＲ）の中に位置しており、コアプレートの変形を可能とするサイド変形可能部（４１、７４１、９４１）と、底板から延び出しており、コアプレートの端部に位置し、接合部が設けられた端壁（２３）と、接合部の両側において、端壁の縁から端壁の高さ方向（ＨＤ）に沿って接合部を越えて延びるように端壁に形成され、それらの間に底板から延び出すとともに接合部を有する接合片（２８）を区画形成し、接合片の変形を可能とするエンド変形可能部（４３、７４３）とを有する。
開示される熱交換器は、長さ方向（ＬＤ）に沿って細長いコアプレート（６）と、端部がコアプレートに接合された複数のチューブ（７）と、コアプレートの端部に設けられた接合部（ＢＲ）においてコアプレートと接合された補強プレート（９）とを有する。コアプレートは、複数のチューブが接合された底板（２１）と、複数のチューブを受け入れ、複数のチューブと接合されるために底板に形成された隆起部（２６）と、コアプレートの幅方向（ＷＤ）に沿って隆起部を横切って延びるように底板に形成され、接合部と最初のチューブ（７ａ）との間のエンド領域（ＥＲ）の中に位置しており、コアプレートとタンクカバー（５）との間に配置されるシール部材（２７）が接触するシール面（２５）の上の空洞に幅方向のサイド開口が連通しているリブ（４５、８４５）と、底板から延び出しており、コアプレートの端部に位置し、接合部が設けられた端壁（２３）と、接合部の両側において、端壁の縁から端壁の高さ方向（ＨＤ）に沿って接合部を越えて延びるように端壁に形成され、それらの間に底板から延び出すとともに接合部を有する接合片（２８）を区画形成し、接合片の変形を可能とするエンド変形可能部（４３、７４３）とを有する。